(57)【要約】      （修正有）【課題】魚釣りのコマセを入れるバッカンは、コマセが少なくなると不安定になる。風が吹いても、コマセを柄杓で掬っても、常にバッカンを安定させる重石を提供する。【解決手段】折り畳み可能な、水を入れ密閉できる容器１を重石とし、脱着可能にバッカン外側底部に取り付ける。容器と一体化した耳状の輪３が上部四隅に付き、自在付のベルト４がそれぞれ耳状の輪を通り、ベルトの先端には、バッカンの取っ手等に掛けられるかぎ状のフック５が付属し、これらによりバッカンに密着させる。【選択図】図１
0003201386.tif 000002
【実用新案登録請求の範囲】
【請求項１】
バッカンに着脱可能な形態で、注水しバッカンに取り付けることで、バッカンを安定させることを特徴とするバッカンの重石。
【請求項２】
水を抜き、折り畳めば、軽く邪魔にならず、持ち運びが容易となることを特徴とするバッカンの重石。
【考案の詳細な説明】
【技術分野】
【０００１】
本考案は、主に磯釣りに使用するバッカン（コマセバケツ）が、使用している間にコマセが少なくなり、軽くなっても、安定した状態で使用できるように、バッカンに装着する重石に関するものである。
【背景技術】
【０００２】
磯釣りにおいて、使用されるコマセを入れる為のバッカン（コマセバケツ）は、持ち運びの利便性を考えて、軽くできている。
【０００３】
釣り始めの、コマセが多く入っている時は重いので安定している。しかし、コマセが少なくなってくると不安定になる欠点があった。
【０００４】
その結果、風が強い時には風であおられ、また柄杓でコマセを掬う時も動いてしまい、常にバッカンを足などで押さえながら釣りをすることになり、釣りに集中できなくなる問題があった。
【０００５】
この改善策として、バッカンの外側底部に重石を取り付けることとした。重石は、現地ですぐに調達できる水を利用し、折り畳み可能なポリタンク形式とした。水を入れなければ、持ち運びも容易である。
【先行技術文献】
【特許文献】
【０００６】
【特許文献１】特開２００７−３１２６４４号
【特許文献２】特開２０１０−２２３４６号
【特許文献３】実新３１４１４４５号
【考案の概要】
【考案が解決しようとする課題】
【０００７】
解決しようとする問題点は、軽くなったバッカンが柄杓でコマセを掬う時や、風が吹いた時などに動いてしまい不安定となる点。さらに、それに重石を取り付け解決したいが、重石を釣り場まで運ぶことは重労働となる点。
【課題を解決するための手段】
【０００８】
本考案は、水を入れた容器をバッカンの外側底部に装着することにより重石となり、バッカンが安定することを目的とする。バッカンを安定させる点、脱着可能である点、移動時には水を抜き、折り畳むことにより、持ち運びを容易にする点を、最も主要な特徴とする。
【考案の効果】
【０００９】
本考案は、折り畳んで邪魔にならず、軽く持ち運べ、釣り座に入ってから、水を入れて重石としてバッカンに取り付けることにより、コマセが少なくなっても、バッカンは常に安定した状態を維持できる利点がある。
【図面の簡単な説明】
【００１０】
【図１】本考案本体を示した斜視図である。
【図２】６のバッカンに１の本考案を取り付け、使用状態を示した斜視図である。
【考案を実施するための形態】
【００１１】
本考案のバッカンの重石となる本体は、バッカンに装着できる、折り畳み式の水を密閉できる容器である。図では、本考案をベルトやフック等で装着しているが、本考案がバッカンに装着できれば、この方法に限ったものではない。
【実施例】
【００１２】
図１は、本考案本体の斜視図である。１は本体。２は注水口で、ねじ式の蓋が付いている。３は本体と一体化した４のベルトを通すための穴。４は長さ調節が可能な自在付ベルト。５はバッカンの取っ手などに掛けるフック。
【００１３】
図２は、本考案を６のバッカンに装着した実施例の斜視図である。
【産業上の利用可能性】
【００１４】
磯釣りにおいて、使用頻度の高いバッカンは、軽く持ち運びが容易であるので、コマセが少なくなると安定性に欠ける。釣りは自然相手のレジャーであり、天候の急変によって、突風が吹くことも想定しなければならない。また、コマセを掬うだけでバッカンが動いてしまうこともある。この時に水を入れた本考案を装着していれば、動く心配もなく、続けて安定した使用ができる。バッカンの装備品として常備しておきたいものとなる。
【符号の説明】
【００１５】
１  本考案本体
２  注水口
３  ベルトの取り付け部
４  自在付ベルト
５  フック
６  バッカン
【図１】
0003201386.tif 000003
【図２】
0003201386.tif 000004
【手続補正書】
【提出日】平成27年8月26日(2015.8.26)
【手続補正１】
【補正対象書類名】明細書
【補正対象項目名】０００８
【補正方法】変更
【補正の内容】
【０００８】
本考案は、水を入れられるビニール等の軟質材で成型され、蛇腹式の折り畳み可能な形態で、注水口を蓋で密閉できる容器。これをバッカンの外側底部に置き、本体四隅に付属している自在付のベルトで、先端に付いているフックをバッカンの取っ手などに掛けることにより、重石となりバッカンが安定することを目的とする。バッカンを安定させる点、脱着可能である点、移動時には水を抜き折り畳むことにより、持ち運びを容易にする点、を最も主要な特徴とする。
【手続補正２】
【補正対象書類名】明細書
【補正対象項目名】００１１
【補正方法】変更
【補正の内容】
【００１１】
本考案のバッカンの重石となる本体１は、軟質のビニール等の材質から成り、        蛇腹式に折り畳み可能で、注水口２は蓋で密閉できる。本体上部四隅には耳状の輪３が本体と一体成型されており、自在付のベルト４を通し、先端のフック５でバッカンの取っ手などに掛けてバッカンに密着させる。
【手続補正３】
【補正対象書類名】実用新案登録請求の範囲
【補正対象項目名】請求項１
【補正方法】変更
【補正の内容】
【請求項１】
本体１は、水を入れる注水口付で、蓋をすれば密閉できる容器であり、本体と一体化した耳状の輪３が上部四隅に付いている。自在付のベルト４がそれぞれ４か所の耳状の輪３を通り、ベルト４の先端には、バッカンの取っ手等に掛けられるかぎ状のフック５が付いている。これらにより、バッカンに本体が密着できることを特徴とするバッカンの重石。
【手続補正４】
【補正対象書類名】実用新案登録請求の範囲
【補正対象項目名】請求項２
【補正方法】変更
【補正の内容】
【請求項２】
本体１はビニール等の軟質材で作られ、蛇腹式に折り畳めることを特徴とする請求項１のバッカンの重石。
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
本体１は、水を入れる注水口付で、蓋をすれば密閉できる容器であり、本体と一体化した耳状の輪（３）が上部四隅に付き、自在付のベルト（４）がそれぞれ４か所の耳状の輪（３）を通り、ベルト（４）の先端には、バッカンの取っ手等に掛けられるかぎ状のフック（５）が付属し、これらによりバッカンに本体が密着できることを特徴とするバッカンの重石。
【請求項２】
本体（１）は、折り畳み式の容器であることを特徴とする請求項１に記載のバッカンの重石。